(57)【要約】【課題】走行機体の進行に伴い穿入ビームは進行方向に揺振動作しつつ土中に穿入して穿入跡溝を形成し、犂体の穿入後方位置の暗渠形成体は暗渠を連続して形成することになり、犂体により掬われた土は暗渠形成体の上部回転面により斜め上方に円滑に移送され、犂体の穿入後方位置の暗渠形成体の牽引抵抗を緩和することができ、暗渠形成作業性を向上することができる。【解決手段】走行機体１に連結機構２により機枠３を連結し、機枠に穿入ビーム４を揺振機構５により進行方向に揺振動作自在に縦設し、穿入ビームの下部に土中に暗渠Ｈを形成可能な暗渠形成体１３を配設してなり、上記穿入ビーム４を左右一対のビーム体４ａ・４ｂにより形成し、一対のビーム体の下部間に犂体１２を進行方向前下がり状に設けると共に該一対のビーム体の下部間の該犂体の穿入後方位置に上記暗渠形成体を支軸１４により回転自在に横設してなる。【選択図】        図２
2004201512.tif 000002
【特許請求の範囲】
【請求項１】
走行機体に連結機構により機枠を連結し、該機枠に穿入ビームを揺振機構により進行方向に揺振動作自在に縦設し、該穿入ビームの下部に土中に暗渠を形成可能な暗渠形成体を配設してなり、上記穿入ビームを左右一対のビーム体により形成し、該一対のビーム体の下部間に犂体を進行方向前下がり状に設けると共に該一対のビーム体の下部間の該犂体の穿入後方位置に上記暗渠形成体を支軸により回転自在に横設してなることを特徴とする暗渠形成装置。
【請求項２】
上記暗渠形成体の下部回転外周軌跡の下方位置に上記犂体の先端部を配置してなることを特徴とする請求項１記載の暗渠形成装置。
【請求項３】
上記犂体の上端部を上記暗渠形成体の支軸の軸線より上方に配置してなることを特徴とする請求項１又は２記載の暗渠形成装置。
【発明の詳細な説明】
【０００１】
【発明の属する技術分野】
本発明は例えば水田や畑の土中に暗渠を形成する際に用いられる暗渠形成装置に関するものである。
【０００２】
【従来の技術】
【０００３】
実公昭５９−２３０７４号公報
【０００４】
従来この種の暗渠形成装置として、走行機体に連結機構により機枠を連結し、機枠に穿入ビームを揺振機構により進行方向に揺振動作自在に縦設し、穿入ビームの下部に土中に暗渠を形成可能な弾丸状の暗渠形成体を配設してなる構造のものが知られている。
【０００５】
しかして、水田等は表層の耕耘層、その下層の耕盤、さらに下層の芯土層からなり、この耕耘層、耕盤及び芯土層に穿入ビームを穿入進行させ、耕盤を破ってその下の芯土層に弾丸状の暗渠形成体により暗渠を開穴形成することになる。
【０００６】
【発明が解決しようとする課題】
しかしながら上記従来構造の場合、弾丸状の暗渠形成体を走行機体により牽引して暗渠を形成する構造であるから、芯土層の硬土の場合、牽引抵抗が過大となり、暗渠形成作業性の低下を招いたり、機構各部の耐久性を低下させることがあるという不都合を有している。
【０００７】
【課題を解決するための手段】
本発明はこのような不都合を解決することを目的とするもので、本発明のうちで、請求項１記載の発明にあっては、走行機体に連結機構により機枠を連結し、該機枠に穿入ビームを揺振機構により進行方向に揺振動作自在に縦設し、該穿入ビームの下部に土中に暗渠を形成可能な暗渠形成体を配設してなり、上記穿入ビームを左右一対のビーム体により形成し、該一対のビーム体の下部間に犂体を進行方向前下がり状に設けると共に該一対のビーム体の下部間の該犂体の穿入後方位置に上記暗渠形成体を支軸により回転自在に横設してなることを特徴とする暗渠形成装置にある。
【０００８】
又、請求項２記載の発明は、上記暗渠形成体の下部回転外周軌跡の下方位置に上記犂体の先端部を配置してなることを特徴とするものであり、又、請求項３記載の発明は、上記犂体の上端部を上記暗渠形成体の支軸の軸線より上方に配置してなることを特徴とするものである。
【０００９】
【発明の実施の形態】
図１乃至図９は本発明の実施の形態例を示し、図１乃至図７は第一形態例、図８、図９は第二形態例である。
【００１０】
図１乃至図７の第一形態例において、１は走行機体であって、この場合トラクタが用いられ、走行機体１の後部に三点リンク式の連結機構２により機枠３を上下動可能に連結して構成している。
【００１１】
４は穿入ビーム、５は揺振機構であって、この場合、穿入ビーム４は左右一対のビーム体４ａ・４ｂにより形成され、機枠３に揺動アーム６の中程部を支点軸７により揺振動作自在に枢着すると共に機枠３に主軸８を軸受８ａ・８ａにより回転自在に横設し、走行機体１の動力取出軸９と主軸８とを自在継手１０により連結し、揺動アーム６と主軸８との間に偏心輪機構１１を介装し、即ち、偏心輪機構１１として、上記主軸８の軸受８ａ・８ａに偏心軸部１１ａを形成し、偏心軸部１１ａに接続部材１１ｂの上側の軸受１１ｃを嵌合し、接続部材１１ｂの下側の軸受１１ｄに揺動アーム６の基軸６ａを嵌挿し、揺動アーム６をガイドロール６ｂ・６ｂ及びガイド片３ａ・３ａにより上下揺動案内し、主軸８の回転により偏心輪機構１１を介して揺動アーム６を支点軸７を中心として上下揺振動作させ、揺動アーム６の後端部に穿入ビーム４としての左右一対ビーム体４ａ・４ｂを上下方向に取付け、この一対のビーム体４ａ・４ｂの下部間に犂体１２を進行方向前下がり状に設けると共に一対のビーム体４ａ・４ｂの下部にブラケットＫ・Ｋを取付け、犂体１２の穿入後方位置にブラケットＫ・Ｋ間に円筒状体１３ａの外周面に突杆部１３ｂを複数個設けてなる暗渠形成体１３を支軸１４により両持状態で回転自在に横設し、犂体１２の上端部を暗渠形成体１３の支軸１４の軸線より上方に配置して構成している。
【００１２】
この場合、上記暗渠形成体１３の突杆部１３ｂの下部回転外周軌跡の下方位置に上記犂体１２の先端部を配置して構成している。
【００１３】
しかして、走行機体１の進行に伴い左右一対のビーム体４ａ・４ｂからなる穿入ビーム４は進行方向に揺振動作しつつ土中Ｗに穿入して二列の穿入跡溝Ｓ・Ｓを形成すると共に犂体１２の穿入後方位置の暗渠形成体１３は支軸１４により回転しつつ暗渠Ｈを連続して形成することになる。
【００１４】
１５は転輪であって、上記機枠３の左右両側位置に取付アーム１６ａ・１６ａを高さ調節機構１６ｂにより高さ調節自在に配置し、田面等の地表面Ｍに転輪１５を接地させ、機枠３の安定走行及び暗渠Ｈの表面からの形成高さの設定を図るように構成している。
【００１５】
この実施の第一形態例は上記構成であるから、走行機体１の進行に伴い左右一対のビーム体４ａ・４ｂからなる穿入ビーム４は進行方向に揺振動作しつつ土中Ｗに穿入して穿入跡溝Ｓを形成すると共に犂体１２の穿入後方位置の暗渠形成体１３は暗渠Ｈを連続して形成することになり、この際、穿入ビーム４を左右一対のビーム体４ａ・４ｂにより形成し、一対のビーム体４ａ・４ｂの下部間に上記犂体１２を進行方向前下がり状に設けると共に一対のビーム体４ａ・４ｂの下部間の犂体１２の穿入後方位置に上記暗渠形成体１３を支軸１４により回転自在に横設しているから、一対のビーム体４ａ・４ｂにより穿入溝跡Ｓ・Ｓが形成され、犂体１２により掬われた芯土層の土は穿入溝跡Ｓ・Ｓにより区切られて暗渠形成体１３の上部回転面により斜め上方に円滑に移送され、このため、犂体１２の穿入後方位置の暗渠形成体１３の牽引抵抗を緩和することができ、暗渠形成作業性を向上することができると共に機構各部の耐久性を高めることができる。
【００１６】
この場合、上記暗渠形成体１３の下部回転外周軌跡の下方位置に上記犂体１２の先端部を配置してなるから、暗渠形成体１３の下部回転外周軌跡と犂体１２の掬い底面との間に隙間Ｂが存在し、上部回転外周軌跡に土が接触し、これにより暗渠形成体１３は犂体１２により掬われて斜め上方に移送されてくる土をさらに斜め上方に移送する方向に円滑に回転することができ、それだけ暗渠形成作業を円滑に行うことができ、又、この場合、犂体１２の上端部を暗渠形成体１３の支軸１４の軸線より上方に配置しているから、犂体１２により掬われた土は暗渠形成体１３の回転外周軌跡の上部に移送されることになり、暗渠形成体１３の回転が円滑になされ、土の移送を良好に行うことができる。
【００１７】
図８、図９の第二形態例は別例構造を示し、この場合、暗渠形成体１３として、円筒状体１３ａの外周面に複数個の凹部１３ｃを形成して構成している。
【００１８】
この実施の第二形態例にあっても、上記第一形態例と同様な作用効果を得ることができる。
【００１９】
尚、本発明は上記実施の形態例に限られるものではなく、穿入ビーム４、ビーム体４ａ・４ｂ、揺振機構５、偏心輪機構１１、犂体１３、暗渠形成体１３の形態や構造等は適宜変更して設計される。
【００２０】
【発明の効果】
本発明は上述の如く、請求項１記載の発明にあっては、走行機体の進行に伴い左右一対のビーム体からなる穿入ビームは進行方向に揺振動作しつつ土中に穿入して穿入跡溝を形成すると共に犂体の穿入後方位置の暗渠形成体は暗渠を連続して形成することになり、この際、穿入ビームを左右一対のビーム体により形成し、一対のビーム体の下部間に上記犂体を進行方向前下がり状に設けると共に一対のビーム体の下部間の犂体の穿入後方位置に上記暗渠形成体を支軸により回転自在に横設しているから、一対のビーム体により穿入溝跡が形成され、犂体により掬われた芯土層の土は穿入溝跡により区切られて暗渠形成体の上部回転面により斜め上方に円滑に移送され、このため、犂体の穿入後方位置の暗渠形成体の牽引抵抗を緩和することができ、暗渠形成作業性を向上することができると共に機構各部の耐久性を高めることができる。
【００２１】
又、請求項２記載の発明にあっては、上記暗渠形成体の下部回転外周軌跡の下方位置に上記犂体の先端部を配置してなるから、暗渠形成体の下部回転外周軌跡と犂体の掬い底面との間に隙間が存在し、上部回転外周軌跡に土が接触し、これにより暗渠形成体は犂体により掬われて斜め上方に移送されてくる土をさらに斜め上方に移送する方向に円滑に回転することができ、それだけ暗渠形成作業を円滑に行うことができ、又、請求項３記載の発明にあっては、上記犂体の上端部を暗渠形成体の支軸の軸線より上方に配置しているから、犂体により掬われた土は暗渠形成体の回転外周軌跡の上部に移送されることになり、暗渠形成体の回転が円滑になされ、土の移送を良好に行うことができる。
【００２２】
以上の如く、所期の目的を充分達成することができる。
【図面の簡単な説明】
【図１】本発明の実施の第一形態例の全体側面図である。
【図２】本発明の実施の第一形態例の部分側断面図である。
【図３】本発明の実施の第一形態例の部分平面図である。
【図４】本発明の実施の第一形態例の部分平断面図である。
【図５】本発明の実施の第一形態例の部分側面図である。
【図６】本発明の実施の第一形態例の部分横断面図である。
【図７】本発明の実施の第一形態例の部分拡大平断面図である。
【図８】本発明の実施の第二形態例の部分拡大断面図である。
【図９】本発明の実施の第二形態例の部分後面図である。
【符号の説明】
Ｗ  土
Ｈ  暗渠
Ｓ  穿入溝跡
Ｍ  地表面
１  走行機体
２  連結機構
３  機枠
４  穿入ビーム
４ａ  ビーム体
４ｂ  ビーム体
５  揺振機構
１３  暗渠形成体
１４  支軸
１５  転輪
【図１】
2004201512.tif 000003
【図２】
2004201512.tif 000004
【図３】
2004201512.tif 000005
【図４】
2004201512.tif 000006
【図５】
2004201512.tif 000007
【図６】
2004201512.tif 000008
【図７】
2004201512.tif 000009
【図８】
2004201512.tif 000010
【図９】
2004201512.tif 000011